(57)【要約】本発明は、発光ダイオード（Light Emitting Diode；以下、‘ＬＥＤ’と称する）モジュール配置方法、ＬＥＤモジュールを用いて動画を表示するためのデータ変換方法、及びそのためのデータ変換装置に関するものである。本発明は、動画及び映像データを格納するデータ格納モジュールと、動画をフレーム別イメージに変換してフレーム別イメージで多数個のＬＥＤモジュールを対応させて、多数個のＬＥＤモジュールを配置し、多数個のＬＥＤモジュールの位置を決定し、フレーム別イメージで多数個のＬＥＤモジュールが配置された領域の各中心点での色座標を抽出し、位置に従う色座標を映像データとして生成するデータ変換モジュールとを含むことを特徴とするＬＥＤモジュールを用いて動画を表示するためのデータ変換装置を提供する。本発明によると、ＬＥＤモジュールを用いて動画またはフラッシュなどを出力する時、実際の動画またはフラッシュのように細かくて軟らかい映像で出力できるように動画またはフラッシュなどを映像データとして変換することができる。【選択図】図１
2010508538.tif 000002
【特許請求の範囲】
【請求項１】
動画を多数個の発光ダイオード（Light Emitting Diode；以下、‘ＬＥＤ’と称する）モジュールを含むＬＥＤパネル（Panel）を用いて出力するために、前記動画を映像データに変換する装置であって、
前記動画及び前記映像データを格納するデータ格納モジュールと、
前記動画をフレーム別イメージに変換して前記フレーム別イメージで前記多数個のＬＥＤモジュールを対応させて、前記多数個のＬＥＤモジュールを配置し、前記多数個のＬＥＤモジュールの位置を決定し、前記フレーム別イメージで前記多数個のＬＥＤモジュールが配置された領域の各中心点での色座標を抽出し、前記位置に従う色座標を前記映像データとして生成するデータ変換モジュールと、
を含むことを特徴とするＬＥＤモジュールを用いて動画を表示するためのデータ変換装置。
【請求項２】
前記データ変換モジュールは、前記フレーム別イメージのサイズを既設定された前記ＬＥＤパネルのサイズに変換して拡大されたフレーム別イメージを生成し、前記拡大されたフレーム別イメージを既設定された前記ＬＥＤモジュールのサイズに分割して分割領域に区分し、前記分割領域に各ＬＥＤモジュールを対応させることによって、前記多数個のＬＥＤモジュールを前記フレーム別イメージに配置することを特徴とする請求項１に記載のＬＥＤモジュールを用いて動画を表示するためのデータ変換装置。
【請求項３】
前記データ変換装置は、前記ＬＥＤパネルのサイズ及び前記ＬＥＤモジュールのサイズの入力を受けて前記データ変換モジュールに伝達する入出力モジュールをさらに含むことを特徴とする請求項２に記載のＬＥＤモジュールを用いて動画を表示するためのデータ変換装置。
【請求項４】
動画を多数個の発光ダイオード（Light Emitting Diode；以下、‘ＬＥＤ’と称する）モジュールを含むＬＥＤパネル（Panel）を用いて出力するために、データ変換装置における前記動画を映像データに変換する方法であって、
（ａ）前記動画をフレーム別イメージに変換するステップと、
（ｂ）前記フレーム別イメージで前記多数個のＬＥＤモジュールを対応させて前記多数個のＬＥＤモジュールを配置し、前記多数個のＬＥＤモジュールの位置を決定するステップと、
（ｃ）前記フレーム別イメージで前記多数個のＬＥＤモジュールが配置された領域の各中心点を計算するステップと、
（ｄ）前記フレーム別イメージで前記各中心点での色座標を抽出して前記位置に従う色座標を前記映像データとして生成するステップと、
を含むことを特徴とするＬＥＤモジュールを用いて動画を表示するためのデータ変換方法。
【請求項５】
前記ステップ（ｂ）は、
（ｂ１）前記フレーム別イメージのサイズを前記多数個のＬＥＤモジュールを含むＬＥＤパネルのサイズに拡大し、拡大されたフレーム別イメージを生成するステップと、
（ｂ２）前記拡大されたフレーム別イメージを前記ＬＥＤモジュールのサイズだけの領域に分割して分割領域を区分するステップと、
（ｂ３）前記分割領域に前記多数個のＬＥＤモジュールを対応して配置するステップと、
（ｂ４）前記多数個のＬＥＤモジュールの位置を決定するステップと、
を含むことを特徴とする請求項４に記載のＬＥＤモジュールを用いて動画を表示するためのデータ変換方法。
【請求項６】
前記の方法は、前記ステップ（ｂ）の以後に、（ｂ５）前記多数個のＬＥＤモジュールを再配置するための命令語の入力を受けて前記命令語に従い、前記多数個のＬＥＤモジュールのうちの１つ以上を前記フレーム別イメージで再配置するステップをさらに含むことを特徴とする請求項４に記載のＬＥＤモジュールを用いて動画を表示するためのデータ変換方法。
【請求項７】
動画を多数個の発光ダイオード（Light Emitting Diode；以下、‘ＬＥＤ’と称する）モジュールを含むＬＥＤパネル（Panel）を用いて出力するように、前記動画をフレーム別イメージに変換することにより映像データに変換するデータ変換装置において、前記フレーム別イメージに前記ＬＥＤモジュールを配置する方法であって、
（ａ）前記フレーム別イメージのサイズを前記ＬＥＤパネルのサイズに拡大し、拡大されたフレーム別イメージを生成するステップと、
（ｂ）前記拡大されたフレーム別イメージを前記ＬＥＤモジュールのサイズだけの領域に分割して分割領域に区分するステップと、
（ｃ）前記分割領域に前記多数個のＬＥＤモジュールを対応して配置するステップと、
を含むことを特徴とする前記フレーム別イメージに前記ＬＥＤモジュールを配置する方法。
【請求項８】
前記ステップ（ｃ）において、前記ＬＥＤ制御部は、
既設定された配置方向及び既設定された領域割合のうちの１つ以上に従い、前記分割領域に前記多数個のＬＥＤモジュールを配置することを特徴とする請求項７に記載の前記フレーム別イメージに前記ＬＥＤモジュールを配置する方法。
【発明の詳細な説明】
【技術分野】
【０００１】
本発明は、発光ダイオード（Light Emitting Diode；以下、‘ＬＥＤ’と称する）モジュール配置方法、ＬＥＤモジュールを用いて動画を表示するためのデータ変換方法及びそのためのデータ変換装置に関し、より詳しくは、多数個のＬＥＤからなるＬＥＤモジュールを用いて動画またはフラッシュなど、少なくとも１つ以上のフレーム別イメージからなる映像（以下、‘動画’と称する）を表示するために、動画をＬＥＤモジュールから出力することに用いる映像データに変換するための方法、イメージにＬＥＤモジュールを配置する方法、及びそのためのデータ変換装置に関する。
【背景技術】
【０００２】
通常的に、電光板または電光掲示板は各種の情報を可視的な停止または動画の状態に表示するためのシステムである。このような電光板は、広告商業用、競技場用、マルチビジョン用、交通信号用、情報、及びメッセージ用に広く使われており、適用される用途や対象または位置に従い、そのサイズ及び適用システムが各々変わることができる。例えば、広告商業用は室内または室外に使われたり、カラーまたはデュアルカラー用が主に使われ、競技場用はメーンスタジアム、競馬場、サッカー場、野球場、または水泳場などに適用され、マルチビジョン用は会議場、小劇場、競馬中継、または車両搭載用等に使われ、交通信号用は乗降場、改札口、待合室、及び通路がある鉄道用、及び、市内道路、高速道路、または誘導ランプなどが含まれた道路用に使われる。
【０００３】
また、株価時勢板や株式状況板などの証券市場用、到着や出発を知らせる空港用、環境汚染状態を表す環境情報用、生産現況などを表す工場用、事務室用、電光時計用、言論媒体から最新ニュース、政府及び地方自治体の弘報、及び情報伝達に使われる情報及びメッセージ用などがある。
【０００４】
また、このような電光板は各種イベント用としてトラックやコンテナなどに搭載できる移動型と、ショーやマルチキューブの取替として使用できるブロック型とに大別できる。このような電光板のディスプレイ用に使われる手段や素子としては、初期には電球が広く使われたし、その後に電球の使用電力量を勘案して蛍光灯を主に使用した。しかしながら、電球や蛍光灯のような手段の場合にはそのサイズを縮めることに限界があって、映像を表示するには適合しない面があった。それで、最近、ＣＲＴ（陰極線管）やＦＤＴ（Fluorescent Discharge Tube）などが使われたが、ＣＲＴやＦＤＴの大型化に対する限界により、現在は大部分がＬＥＤに素子が変更及び転換されて使われている。これは大型から中小型に、低画質から高画質に、広告中心から情報伝達用に、そして車両の疎通の多い交叉路などで、流動人口の多い広場などに大部分設置されている。
【０００５】
通常的に、電光板などで使用するＬＥＤは、多数個のＬＥＤを連結したＬＥＤアレイ、ＬＥＤアレイを駆動するための駆動装置及び駆動装置を制御するための制御装置からなるＬＥＤモジュールで具現される。通常的なＬＥＤモジュールは、赤色（Ｒ：Red）、緑色（Ｇ：Green）、及び青色（Ｂ：Blue）の三色ＬＥＤを用いて単色中心の演出や限定された種類の指定された形態による色変移を演出する程度に具現される。したがって、通常的なＬＥＤモジュールを用いると、停止された映像または制限された色で表現され、制限されたフレーム数を有する簡単な動画のみを出力できる問題点がある。
【０００６】
ＬＥＤモジュールを用いてフルカラー（Full Color）を具現するためには、三色のＬＥＤの輝度を多段階に調節できるようにＬＥＤモジュールを駆動しなければならない。そのためには、動画をフレーム別に色情報を抽出し、映像を部分別に細分化してＬＥＤモジュールを配置しなければならない。
【０００７】
しかしながら、今まではフルカラーを有する動画から色情報を抽出してＬＥＤモジュールに配置することで、ＬＥＤモジュールを用いて動画を自然に表示する技術が開発されておらず、このような技術の開発が要求されている実状である。
【発明の概要】
【発明が解決しようとする課題】
【０００８】
このような要求に応じるために、本発明は、多数個のＬＥＤからなるＬＥＤモジュールを用いて動画またはフラッシュなど、少なくとも１つ以上のフレーム別イメージからなる映像（以下、‘動画’と称する）を表示するために、動画をＬＥＤモジュールから出力することに用いる映像データに変換するための方法、イメージにＬＥＤモジュールを配置する方法、及びそのためのデータ変換装置を提供することをその目的とする。
【課題を解決するための手段】
【０００９】
上記の目的を達成するために、本発明は、動画を多数個の発光ダイオード（Light Emitting Diode；以下、‘ＬＥＤ’と称する）モジュールを含むＬＥＤパネル（Panel）を用いて出力するために、動画を映像データに変換する装置であって、動画及び映像データを格納するデータ格納モジュールと、動画をフレーム別イメージに変換してフレーム別イメージで多数個のＬＥＤモジュールを対応させて、多数個のＬＥＤモジュールを配置し、多数個のＬＥＤモジュールの位置を決定し、フレーム別イメージで多数個のＬＥＤモジュールが配置された領域の各中心点からの色座標を抽出し、位置に従う色座標を映像データとして生成するデータ変換モジュールと、を含むことを特徴とするＬＥＤモジュールを用いて動画を表示するためのデータ変換装置を提供する。
【００１０】
また、本発明の他の目的によると、動画を多数個の発光ダイオード（Light Emitting Diode；以下、‘ＬＥＤ’と称する）モジュールを含むＬＥＤパネル（Panel）を用いて出力するために、データ変換装置において、動画を映像データに変換する方法であって、（ａ）動画をフレーム別イメージに変換するステップと、（ｂ）フレーム別イメージで多数個のＬＥＤモジュールを対応させて多数個のＬＥＤモジュールを配置し、多数個のＬＥＤモジュールの位置を決定するステップと、（ｃ）フレーム別イメージで多数個のＬＥＤモジュールが配置された領域の各中心点を計算するステップと、（ｄ）フレーム別イメージで各中心点での色座標を抽出して位置に従う色座標を上記映像データとして生成するステップと、を含むことを特徴とするＬＥＤモジュールを用いて動画を表示するためのデータ変換方法を提供する。
【００１１】
また、本発明の更に他の目的によると、動画を多数個の発光ダイオード（Light Emitting Diode；以下、‘ＬＥＤ’と称する）モジュールを含むＬＥＤパネル（Panel）を用いて出力するように、動画をフレーム別イメージに変換することにより映像データに変換するデータ変換装置において、フレーム別イメージにＬＥＤモジュールを配置する方法であって、（ａ）フレーム別イメージのサイズをＬＥＤパネルのサイズに拡大し、拡大されたフレーム別イメージを生成するステップと、（ｂ）拡大されたフレーム別イメージをＬＥＤモジュールのサイズだけの領域に分割して分割領域に区分するステップと、（ｃ）分割領域に多数個のＬＥＤモジュールを対応して配置するステップと、を含むことを特徴とするイメージにＬＥＤモジュールを配置する方法を提供する。
【発明の効果】
【００１２】
本発明によると、ＬＥＤモジュールを用いて動画またはフラッシュなどを出力する時、実際の動画またはフラッシュのように細かくて軟らかい映像で出力できるように動画またはフラッシュなどを映像データとして変換することができる。
【００１３】
これによって、ＬＥＤモジュールを用いて動画またはフラッシュなどを細かくて軟らかい映像で出力することができる。
【００１４】
また、動画またはフラッシュなどを出力するためのＬＥＤモジュールを自動で配置できるので、ＬＥＤモジュールの配置を自動化することができる。
【００１５】
また、ＬＥＤモジュールを配置する時、ＬＥＤパネルのサイズ、ＬＥＤモジュールのサイズ、配置方向、領域割合などを考慮して配置することで、ＬＥＤモジュールの配置を最適化することができる。
【００１６】
また、自動で配置したＬＥＤモジュールをユーザが手動で再配置できるので、必要によってＬＥＤモジュールの配置を調整できるので、動画またはフラッシュなどの要求解像度に従い、かかるＬＥＤモジュールの個数を縮めることができるので、必要による状況対処に敏捷に対応することができる。
【発明を実施するための形態】
【００１７】
以下、本発明の好ましい実施形態を添付された図面を参照しつつ詳細に説明する。まず各図面の構成要素に参照符号を付加するに当たって、同一な構成要素に対してはたとえ他の図面上に表示されても、できる限り同一な符号を有するようにしていることに留意しなければならない。また、本発明を説明するに当たって、関連した公知構成または機能に対する具体的な説明が本発明の要旨を曖昧にすることができると判断される場合にはその詳細な説明は省略する。
【００１８】
図１は、本発明の好ましい実施形態に係るＬＥＤモジュールを用いて動画を表示するためのＬＥＤ制御システムの電子的な構成を簡略に示すブロック構成図である。
【００１９】
本発明の好ましい実施形態に係る発光ダイオード（Light Emitting Diode；以下、‘ＬＥＤ’と称する）モジュールを用いて動画を表示するためのＬＥＤ制御システムは、ＬＥＤパネル（Panel）１１０、ＬＥＤ制御装置１２０、及びデータ変換装置１３０を含む。
【００２０】
ＬＥＤパネル１１０は、第１のＬＥＤモジュール１１２、第２のＬＥＤモジュール１１４、…第ｎ−１のＬＥＤモジュール１１６、及び第ｎのＬＥＤモジュール１１８等、多数個のＬＥＤモジュールから構成されて、各ＬＥＤモジュールでＬＥＤを発光することで、映像、イメージ、動画、及びフラッシュなどを出力する表示手段である。
【００２１】
第１のＬＥＤモジュール１１２、第２のＬＥＤモジュール１１４、…第ｎ−１のＬＥＤモジュール１１６、及び第ｎのＬＥＤモジュール１１８は、多数個のＬＥＤを備えてＬＥＤ制御装置１２０から伝えられた映像データと制御データに従ってＬＥＤを駆動して、映像データ及び制御データにより決まった色を発光する。
【００２２】
ＬＥＤ制御装置１２０は、ＬＥＤパネル１１０の各ＬＥＤモジュール１１２、１１４、１１６、１１８に映像データと制御データを伝達して、各ＬＥＤモジュール１１２、１１４、１１６、１１８が映像、イメージ、動画、フラッシュなどを出力するように制御する制御手段である。
【００２３】
本発明の好ましい実施形態に係るＬＥＤ制御装置１２０は、データ格納部１２２及びデータ送信制御部１２４を含んで、データ変換装置１３０から伝えられた映像データを格納し、予め規約された信号転送方式に従って映像データと各ＬＥＤモジュール１１２、１１４、１１６、１１８の駆動のための制御データを各ＬＥＤモジュール１１２、１１４、１１６、１１８に送信する制御手段である。
【００２４】
データ格納部１２２はデータ変換装置１３０から映像データを格納するデータ格納手段であって、データ送信制御部１２４から要請がある場合、格納した映像データを伝達する。
【００２５】
データ送信制御部１２４は予め規約された信号転送方式に従い前述した制御データを生成し、映像データと制御データを各ＬＥＤモジュール１１２、１１４、１１６、１１８に送信する。ここで、予め規約された信号転送方式とは、直列で連結された各ＬＥＤモジュール１１２、１１４、１１６、１１８に映像データを伝達してＬＥＤモジュール１１２、１１４、１１６、１１８をして動画を出力するように制御するための信号転送方式であって、制御データを生成することに用いられる。
【００２６】
ここで、制御データとは、各ＬＥＤモジュール１１２、１１４、１１６、１１８を識別するためのアドレスデータ、アドレスデータを転送する区間を識別するためのアドレス区間データ、映像データ及びアドレスデータを含む映像転送データ、及び映像転送データを転送する区間を識別するための映像区間データを含む。
【００２７】
したがって、データ送信制御部１２４は、各ＬＥＤモジュール１１２、１１４、１１６、１１８を駆動して動画を出力するために、予め規約された信号転送方式に従って、前述した制御データを生成した後、アドレス区間データを各ＬＥＤモジュール１１２、１１４、１１６、１１８に送信して、各ＬＥＤモジュール１１２、１１４、１１６、１１８は、データ送信制御部１２４から並列でアドレスデータを受信するように制御し、アドレスデータを各ＬＥＤモジュール１１２、１１４、１１６、１１８に直列で伝達して、各ＬＥＤモジュール１１２、１１４、１１６、１１８は自身のアドレスデータを格納するように制御し、映像区間データを各ＬＥＤモジュール１１２、１１４、１１６、１１８に送信して映像転送データを並列で受信するように制御した後、各ＬＥＤモジュール１１２、１１４、１１６、１１８にアドレスデータ及び映像データを送信して、各ＬＥＤモジュール１１２、１１４、１１６、１１８から受信したアドレスデータを既格納したアドレスデータと比較して、自身の映像データの場合のみに該当映像データに従いＬＥＤを駆動して発光するように制御する。
【００２８】
データ変換装置１３０は、入出力モジュール１３２、データ変換モジュール１３４、データ格納モジュール１３６、及び通信処理モジュール１３８を含み、入力を受けたり、受信したり、生成した動画を各ＬＥＤモジュール１１２、１１４、１１６、１１８から出力できる映像データに変換する。
【００２９】
入出力モジュール１３２は、ユーザからデータまたは命令語の入力を受けてデータ変換モジュール１３４に伝達するキーボード、マウス、コンパクトディスク（Compact Disk：ＣＤ）、ユニバーザル直列バス（Universal Serial Bus：ＵＳＢ）などの入力手段及び伝達されたデータを画面またはその他の多様な手段により出力するモニター、スピーカーなどの出力手段を含む入出力手段である。
【００３０】
本発明の好ましい実施形態に係る入出力モジュール１３２は、ＬＥＤパネル１１０のサイズ及び各ＬＥＤモジュール１１２、１１４、１１６５、１１８のサイズの入力を受けてデータ変換モジュール１３４に伝達したり、データ格納モジュール１３６に格納する。また、本発明の好ましい実施形態に係る入出力モジュール１３２は、配置方向及び領域割合のうちの１つ以上の入力を受けてデータ格納モジュール１３６に格納することができる。
【００３１】
データ変換モジュール１３４は、入出力モジュール１３２を通じて入力を受けたり、受信したり、生成して、データ格納モジュール１３６に格納された動画またはフラッシュなどの少なくとも１つ以上のフレームを有する映像（以下、‘動画’と称する）を各ＬＥＤモジュール１１２、１１４、１１６、１１８から出力できる映像データに変換するデータ変換手段である。
【００３２】
本発明の好ましい実施形態に係るデータ変換モジュール１３４は、データ格納モジュール１３６に格納された動画を多数個のフレーム別イメージに変換して各フレーム別イメージでＬＥＤパネル１１０の各ＬＥＤモジュール１１２、１１４、１１６、１１８を対応させて多数個のＬＥＤモジュールを配置し、各フレーム別イメージで多数個のＬＥＤモジュールが配置された０の各中心点での色座標を抽出して映像データとして生成し格納し、通信処理部１３８を通じてＬＥＤ制御装置１２０のデータ格納部１２２に送信して格納する。
【００３３】
即ち、動画は秒当たりの一定なフレームのイメージで構成されるので、各ＬＥＤモジュール１１２、１１４、１１６、１１８を動画を構成する各フレーム別に制御するために、本発明の好ましい実施形態に係るデータ変換モジュール１３４は動画の各フレーム別にイメージを抽出してフレーム別イメージに変換する。
【００３４】
また、本発明の好ましい実施形態に係るデータ変換モジュール１３４は、前述したフレーム別イメージで多数個のＬＥＤモジュールを配置するに当たって、フレーム別イメージのサイズを入出力モジュール１３２を通じて入力を受けたり、データ格納モジュール１３６に既格納されたＬＥＤパネル１１０のサイズに変換して、拡大されたフレーム別イメージを生成し、拡大されたフレーム別イメージを入出力モジュール１３２を通じて入力を受けたり、データ格納モジュール１３６に既格納されたＬＥＤモジュールのサイズに分割して分割領域に区分し、分割領域に各ＬＥＤモジュールを対応させることによって、ＬＥＤパネル１１０の各ＬＥＤモジュール１１２、１１４、１１６、１１８をフレーム別イメージに配置する。
【００３５】
また、本発明の好ましい実施形態に係るデータ変換モジュール１３４は、前述したようなフレーム別イメージに各ＬＥＤモジュール１１２、１１４、１１６、１１８を配置した後、動画を出力することに駆動されなければならないＬＥＤモジュールの数とその位置を決定し、必要によって入出力モジュール１３２を通じて出力することができる。
【００３６】
本発明の好ましい実施形態に係るデータ変換モジュール１３４が動画をフレーム別イメージに変換してフレーム別イメージにＬＥＤモジュールを配置することについては後述する過程で図４ａ乃至図４ｄを通じて詳細に説明する。
【００３７】
また、本発明の好ましい実施形態に係るデータ変換モジュール１３４は、入出力モジュール１３２からデータまたは命令語が入力されれば、該当データまたは命令語に従い前述したように配置されたＬＥＤモジュール１１２、１１４、１１６、１１８の数または各ＬＥＤモジュール１１２、１１４、１１６、１１８の間の配置を調整することができる。
【００３８】
即ち、前述したように、フレーム別イメージに配置された各ＬＥＤモジュール１１２、１１４、１１６、１１８は、ＬＥＤパネル１１０から動画を出力する時、周辺の一定な部分の面積を担当することになるが、この際、より細かく動画を表示するために、各ＬＥＤモジュール１１２、１１４、１１６、１１８の数を増加させるか、配置間隔を狭めることができ、広告用文字看板やその他の広告物を出力しようとする場合には細かい映像の表現を必要とする場合が多くないので、この場合には各ＬＥＤモジュール１１２、１１４、１１６、１１８の数を減少させたり、配置間隔を広めることができる。
【００３９】
また、本発明の好ましい実施形態に係るデータ変換モジュール１３４は、動画の全体だけでなく、一定の区間を指定して映像データに変換することができる。
【００４０】
データ格納モジュール１３６は、伝達されるデータを格納する格納手段である。本発明の好ましい実施形態に係るデータ格納モジュール１３６は、入出力モジュール１３２から伝えられたＬＥＤパネル１１０のサイズ及び各ＬＥＤモジュール１１２、１１４、１１６、１１８のサイズを格納することができ、生成されたり入力される動画を格納し、動画から変換された映像データを格納することができる。
【００４１】
通信処理モジュール１３８は、直列通信、並列通信、ユニバーザル直列バス通信などの有線通信、またはブルートゥース（Bluetooth）、赤外線通信（Infrared Data Association：ＩｒＤＡ）などの無線通信を遂行して外部の装置と有無線通信を遂行する通信処理手段である。
【００４２】
本発明の好ましい実施形態に係る通信処理モジュール１３８は、データ変換モジュール１３４で生成した映像データをＬＥＤ制御装置１２０のデータ格納部１２２に送信して格納する。
【００４３】
図２は、本発明の好ましい実施形態に係るＬＥＤモジュールを用いて動画を表示するためのデータ変換方法を説明するための順序図である。
【００４４】
データ変換モジュール１３４は、データ格納モジュール１３６に格納された動画または入出力モジュール１３２から入力を受けた動画の全体または一定な区間の動画を選定し、（Ｓ２１０）、選ばれた動画を構成する各フレーム別に一定な形態のイメージとして変換して、多数個のフレーム別イメージとして生成する（Ｓ２２０）。この際、データ変換モジュール１３４は動画から多数個のフレーム別イメージを生成する過程を入出力モジュール１３２を通じて画面上に出力することができる。
【００４５】
データ変換モジュール１３４は、動画の構成を変更するか否かを判断して（Ｓ２３０）、動画の構成を変更する場合には動画の構成、即ち、演出時間などを変更し（Ｓ２３２）、変更した動画を多数個のフレーム別イメージで生成する過程を遂行する。この際、データ変換モジュール１３４が動画の構成を変更するか否かは、既定義された手続きにより、または入出力モジュール１３２から命令語が伝えられた場合に、動画の構成を変更することと判断することができる。
【００４６】
また、データ変換モジュール１３４は、動画の構成を変更しない場合には生成した各フレーム別イメージで各ＬＥＤモジュール１１２、１１４、１１６、１１８を対応させて、各ＬＥＤモジュール１１２、１１４、１１６、１１８を配置し、配置した各ＬＥＤモジュール１１２、１１４、１１６、１１８のうち、動画を出力する時に駆動しなければならないＬＥＤモジュールの個数及びその位置などを決定する（Ｓ２４０）。
【００４７】
各フレーム別イメージにおいて、各ＬＥＤモジュール１１２、１１４、１１６、１１８を配置したデータ変換モジュール１３４は、ＬＥＤモジュールの配置を調整するか否かを確認して（Ｓ２５０）、調整する場合にはＬＥＤモジュールを再配置し（Ｓ２５２）、再配置した状態でのＬＥＤモジュールの個数及びその位置を再度決定する。即ち、データ変換モジュール１３４は、各フレーム別イメージで各ＬＥＤモジュール１１２、１１４、１１６、１１８を配置した後、その結果を入出力モジュール１３２を通じて画面上に出力し、ユーザからＬＥＤモジュールを再配置するか否かを入出力モジュール１３２を通じて選択を受けた後、ＬＥＤモジュールを再配置するための命令語の入力を受ければ該当命令語に指定されたＬＥＤモジュールの個数またはＬＥＤモジュール間の間隔に従い、各ＬＥＤモジュール１１２、１１４、１１６、１１８を再配置し、その個数及びその位置を再度決定する。
【００４８】
データ変換モジュール１３４は、各ＬＥＤモジュール１１２、１１４、１１６、１１８を配置したり再配置した後、各フレーム別イメージで各ＬＥＤモジュール１１２、１１４、１１６、１１８が配置された領域の中心点を選定し、各中心点での色座標を抽出する（Ｓ２６０）。
【００４９】
即ち、各フレーム別イメージにおいて、各ＬＥＤモジュール１１２、１１４、１１６、１１８が配置されれば、各ＬＥＤモジュール１１２、１１４、１１６、１１８は、各フレーム別イメージで一定の領域を担当するようになるので、データ変換モジュール１３４は各フレーム別イメージで各ＬＥＤモジュール１１２、１１４、１１６、１１８が担当する領域の中心点を探して各中心点での色座標を抽出する。ここで、各中心点で抽出される色座標は、赤色（Ｒ：Red）、緑色（Ｇ：Green）、及び青色（Ｂ：Blue）の三色に対する色座標である。このように、抽出された色座標は各ＬＥＤモジュール１１２、１１４、１１６、１１８で具備する赤色、緑色、青色のＬＥＤアレイを発光することに用いられる。
【００５０】
したがって、各フレーム別イメージにおいて、各ＬＥＤモジュール１１２、１１４、１１６、１１８が担当する領域の中心点で色座標を抽出して格納した状態で、動画を出力しようとする時、各ＬＥＤモジュール１１２、１１４、１１６、１１８に該当色座標を伝達して、毎フレーム別イメージ毎に色座標に指定された赤色、緑色、及び青色を発光するようにすると、ＬＥＤパネル１１０を用いて動画で表現できるフルカラーと軟らかさを共に表示することができる。
【００５１】
各中心点で色座標を抽出したデータ変換モジュール１３４は、各フレーム別イメージの各中心点での色座標を映像データとして格納する（Ｓ２７０）。この際、映像データには各中心点の位置に対する情報も共に格納して、動画を出力する時に駆動しなければならないＬＥＤモジュール１１２、１１４、１１６、１１８を識別できるようにする。
【００５２】
ここで、フレーム別イメージにおいて、各中心点での色座標を抽出する方法は、通常的なイメージ編集道具を活用すれば簡単に抽出することができる。即ち、フォトショップ（Photoshop）のようなイメージ編集道具では、イメージのピクセル単位で赤色、緑色、及び青色の色座標が抽出できるが、この機能を利用すれば、各中心点での色座標を抽出することができる。
【００５３】
このような手続きにより、データ変換装置１３０は動画を各ＬＥＤモジュール１１２、１１４、１１６、１１８を用いて出力できる映像データに変換することができる。
【００５４】
以下、図３を通じてデータ変換モジュール１３４がステップＳ２４０のようにフレーム別イメージで各ＬＥＤモジュール１１２、１１４、１１６、１１８を配置する方法について詳細に説明する。
【００５５】
図３は、本発明の好ましい実施形態に係るＬＥＤモジュール配置方法を説明するための順序図である。
【００５６】
動画から各フレーム別にイメージを抽出して生成したフレーム別イメージは、動画を構成するフレーム数だけ生成される。したがって、データ変換モジュール１３４は、ステップＳ２２０でフレーム数だけの多数個のフレーム別イメージを生成する。したがって、データ変換モジュール１３４は多数個のフレーム別イメージ毎に各ＬＥＤモジュール１１２、１１４、１１６、１１８を配置する。
【００５７】
以下、１つのフレーム別イメージで各ＬＥＤモジュール１１２、１１４、１１６、１１８を配置する過程に対してのみ説明するが、データ変換モジュール１３４はこのような過程を繰り返して遂行することで、全てのフレーム別イメージで各ＬＥＤモジュール１１２、１１４、１１６、１１８を配置する。
【００５８】
データ変換モジュール１３４は多数個のフレーム別イメージで１つのフレーム別イメージを選択し（Ｓ３１０）、データ格納モジュール１３６に格納されたＬＥＤパネル１１０のサイズ及び各ＬＥＤモジュール１１２、１１４、１１６、１１８のサイズを確認したり、入出力モジュール１３２からＬＥＤパネル１１０のサイズ及び各ＬＥＤモジュール１１２、１１４、１１６、１１８のサイズの入力を受ける（Ｓ３２０）。この際、データ変換モジュール１３４は、ＬＥＤモジュールを配置する方向に対する情報である配置方向及びＬＥＤモジュールが担当する領域の割合である領域割合を入出力モジュール１３２を通じて入力を受けたり、データ格納モジュール１３６に格納されたものを確認することができる。
【００５９】
ＬＥＤパネル１１０のサイズ及び各ＬＥＤモジュール１１２、１１４、１１６、１１８のサイズを確認したデータ変換モジュール１３４は、フレーム別イメージのサイズをＬＥＤパネル１１０のサイズに拡大し、拡大されたフレーム別イメージを生成し、拡大されたフレーム別イメージの上で各ＬＥＤモジュール１１２、１１４、１１６、１１８のサイズだけの領域を分割して分割領域に区分する（Ｓ３４０）。
【００６０】
この際、データ変換モジュール１３４は、フレーム別イメージのサイズをＬＥＤパネル１１０のサイズに拡大する時、フレーム別イメージのサイズの単位とＬＥＤパネル１１０のサイズの単位とを一致させることができる（Ｓ３３０）。即ち、通常的にイメージはピクセル（Pixel）単位で表現され、ピクセルは画面の解像度に従いその絶対的なサイズが違うことができるので、一定の解像度を基準にして、ピクセルをミリメートル、センチメートル、メートル、またはインチ単位に変換して、ＬＥＤパネル１１０のサイズの単位（通常的にセンチメートル単位で表現される）で表現することで、単位を一致させた後、拡大されたフレーム別イメージに変換することが好ましい。
【００６１】
拡大されたフレーム別イメージの上で各ＬＥＤモジュール１１２、１１４、１１６、１１８のサイズだけの分割領域に区分したデータ変換モジュール１３４は、分割領域を各ＬＥＤモジュール１１２、１１４、１１６、１１８と対応させて、各ＬＥＤモジュール１１２、１１４、１１６、１１８を拡大されたフレーム別イメージに配置する（Ｓ３５０）。この際、データ変換モジュール１３４は、ステップＳ３２０で配置方向及び領域割合のうちの１つ以上の入力を受けたり格納された場合、配置方向及び領域割合のうちの１つ以上に従って、各ＬＥＤモジュール１１２、１１４、１１６、１１８を配置することができる。
【００６２】
拡大されたフレーム別イメージに各ＬＥＤモジュール１１２、１１４、１１６、１１８を配置したデータ変換モジュール１３４は、各ＬＥＤモジュール１１２、１１４、１１６、１１８のうちの動画を出力する時に駆動しなければならないＬＥＤモジュールの数とその位置を決定する（Ｓ３６０）。
【００６３】
以上、説明した手続きを通じて、データ変換モジュール１３４はフレーム別イメージで各ＬＥＤモジュール１１２、１１４、１１６、１１８を配置する。
【００６４】
図４ａ乃至図４ｄは、本発明の好ましい実施形態に係るフレーム別イメージにＬＥＤモジュールを配置する過程を説明するための例示図である。
【００６５】
図４ａは、本発明の好ましい実施形態に係るＬＥＤパネルのサイズとＬＥＤモジュールのサイズを入力する過程を示す例示図である。
【００６６】
データ変換モジュール１３４は、動画をフレーム別イメージに変換した後、フレーム別イメージで各ＬＥＤモジュール１１２、１１４、１１６、１１８を配置する時、図示したように、ＬＥＤパネルのサイズを“Target Size（４１０）”を通じて、ＬＥＤモジュールのサイズを“Module Size（４２０）”を通じて入力を受ける。また、必要によって、配置方向を“Placement Direction（４３０）”を通じて、領域割合を“Placement Decision（４４０）”を通じて入力を受けて、配置方向と領域割合に従ってフレーム別イメージで各ＬＥＤモジュール１１２、１１４、１１６、１１８を配置することができる。
【００６７】
ここで、ＬＥＤパネル１１０のサイズは、各ＬＥＤモジュール１１２、１１４、１１６、１１８の実際のサイズを全て合したサイズで配置間隔を合したサイズになることができ、横サイズ及び縦サイズで入力されることができ、その単位は図示したように、センチメートルになることができるが、これに限定されるのではない。また、データ変換モジュール１３４は、ＬＥＤパネル１１０の横サイズが入力されれば、該当フレーム別イメージの横サイズと縦サイズとの割合を考慮して、ＬＥＤパネル１１０の縦サイズを計算して表すことができる。
【００６８】
また、各ＬＥＤモジュール１１２、１１４、１１６、１１８のサイズは、ＬＥＤパネル１１０を構成するＬＥＤモジュールの実際のサイズであり、実際に具現されるサイズに従って違うことができる。
【００６９】
また、配置方向は、図示したように、左から右に（“Left-Right”）、上から下へ（“Top-Down”）、モジュール間の間隔を最小になるように（“Cost-Effective”）などで入力を受けることができる。
【００７０】
また、領域割合は５０％乃至１００％の占有率（“Mask Filling”）で入力を受けることができるが、領域割合が１００％の場合は、各ＬＥＤモジュール１１２、１１４、１１６、１１８は、お互いに重なる部分無く配置される。  
【００７１】
図４ｂは、本発明の好ましい実施形態に係るフレーム別イメージを例示的に示すものである。
【００７２】
例えば、“Rhinox”という字が波形で動く動画を変換してフレーム別イメージを生成すれば、図４ｂに示すように、“Rhinox”という字を表すフレーム別イメージが多数個のフレーム別イメージのうちの１つとして生成される。
【００７３】
図４ｃは、本発明の好ましい実施形態に従いフレーム別イメージにＬＥＤモジュールが配置された状態を例示的に示すものである。
【００７４】
図４ｂに図示した１フレーム別イメージにおいて、図４ａのようにＬＥＤパネル１１０のサイズ、各ＬＥＤモジュール１１２、１１４、１１６、１１８のサイズ、配置方向、領域割合などの入力を受けた後、フレーム別イメージに各ＬＥＤモジュール１１２、１１４、１１６、１１８を配置すると、図４ｂに示すような配置結果が出力できる。
【００７５】
図４ｃに示すように、図４ｂに図示したフレーム別イメージがＬＥＤパネル１１０のサイズだけ拡大されて“Rhinox”という字を表すイメージとなり、“Rhinox”という字の上に各ＬＥＤモジュール１１２、１１４、１１６、１１８が重ね付けられて、各ＬＥＤモジュール１１２、１１４、１１６、１１８が配置された結果を表す。
【００７６】
また、その下には、図４ａで入力したＬＥＤパネル１１０の横サイズと縦サイズ及び各ＬＥＤモジュール１１２、１１４、１１６、１１８の横サイズと縦サイズが出力され、配置方向と領域割合などが出力できる。
【００７７】
また、拡大される前のフレームイメージのサイズがピクセル単位で出力され、動画を出力する時に駆動しなければならないＬＥＤモジュール１１２、１１４、１１６、１１８の個数とその位置及び絶対位置が出力されて、ユーザが配置結果を正確に把握できるようにする。
【００７８】
ユーザは図４ｃのような配置結果を確認した後、マウスで各モジュールをクリックしてドラッグしたり、別途の作業道具（Tool）を用いて各モジュールを移動させて、各ＬＥＤモジュール１１２、１１４、１１６、１１８を再配置することができ、必要の場合、図４ａで入力した値をまた入力して再配置することもできる。即ち、ＬＥＤパネル１１０のサイズ、各ＬＥＤモジュール１１２、１１４、１１６、１１８のサイズ、配置方向、領域割合などを再入力して再配置することができる。
【００７９】
図４ｄは、本発明の好ましい実施形態に係る映像データを示す例示図である。
【００８０】
ユーザは図４ｃのような画面で配置結果を確認した後、最終的な配置結果として確定した場合、画面上に出力される所定のボタンを選択することによって、データ変換モジュール１３４は拡大されたフレームイメージ上で各ＬＥＤモジュール１１２、１１４、１１６、１１８が担当する領域の中心点を決定し、各中心点で色座標を抽出して、各中心点での色座標を映像データとして生成した後、図４ｄに図示したように出力する。
【００８１】
図４ｄに図示した映像データは、各ＬＥＤモジュール１１２、１１４、１１６、１１８に対する赤色、緑色、及び青色の色座標を８ビットで量子化（Quantization）した諧調にマッピングした例を示すものである。即ち、色座標は赤色、緑色、青色の各々のアナログ値を有するが、これをディジタル化するために色座標が有するアナログ値を８ビットのディジタルデータで表現できる２５６段階の諧調に対応させて、０乃至２５５までの値を有するデータに変換する。
【００８２】
したがって、図４ｄに、例として図示した映像データで第１のＬＥＤモジュール１１２が担当する領域の色座標は、赤色２５５、緑色２５５、及び青色２５５の映像データに変換されたものであり、第９のＬＥＤモジュール（図示せず）が担当する領域の色座標は、赤色０、緑色０、及び青色０の映像データに変換されたものである。
【００８３】
このような映像データは、データ変換装置１３０からＬＥＤ制御装置１２０へ送信され、ＬＥＤ制御装置１２０は動画を出力する時、各ＬＥＤモジュール１１２、１１４、１１６、１１８に映像データを定めた規格に従って送信し、各ＬＥＤモジュール１１２、１１４、１１６、１１８は該当フレーム別イメージを出力する時、映像データに指定された色座標を用いて赤色ＬＥＤアレイ、緑色ＬＥＤアレイ、及び青色ＬＥＤアレイをして指定された色を発光するようにすることにより動画を出力する。
【００８４】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるのではない。本発明の保護範囲は請求範囲により解釈されなければならず、それと同等な範囲内にある全ての技術思想は本発明の権利範囲に含まれるものと解釈されるべきである。
【図面の簡単な説明】
【００８５】
【図１】本発明の好ましい実施形態に係るＬＥＤモジュールを用いて動画を表示するためのＬＥＤ制御システムの電子的な構成を簡略に示すブロック構成図である。
【図２】本発明の好ましい実施形態に係るＬＥＤモジュールを用いて動画を表示するためのデータ変換方法を説明するための順序図である。
【図３】本発明の好ましい実施形態に係るＬＥＤモジュール配置方法を説明するための順序図である。
【図４ａ】本発明の好ましい実施形態に従いフレーム別イメージにＬＥＤモジュールを配置する過程を説明するための例示図である。
【図４ｂ】本発明の好ましい実施形態に従いフレーム別イメージにＬＥＤモジュールを配置する過程を説明するための例示図である。
【図４ｃ】本発明の好ましい実施形態に従いフレーム別イメージにＬＥＤモジュールを配置する過程を説明するための例示図である。
【図４ｄ】本発明の好ましい実施形態に従いフレーム別イメージにＬＥＤモジュールを配置する過程を説明するための例示図である。
【符号の説明】
【００８６】
１１０    ＬＥＤパネル
１１２、１１４、１１６、１１８    ＬＥＤモジュール
１２０    ＬＥＤ制御装置
１２４    データ送信制御部
１２６    データ格納部
１３０    データ変換装置
１３２    入出力モジュール
１３４    データ変換モジュール
１３６    データ格納モジュール
１３８    通信処理モジュール
【図１】
2010508538.tif 000003
【図２】
2010508538.tif 000004
【図３】
2010508538.tif 000005
【図４ａ】
2010508538.tif 000006
【図４ｂ】
2010508538.tif 000007
【図４ｃ】
2010508538.tif 000008
【図４ｄ】
2010508538.tif 000009
【国際調査報告】
2010508538.tif 000010
2010508538.tif 000011